(57)【要約】【目的】消費電力を抑制しつつ運用系及び待機系のスムーズな切り替えが可能な伝送装置を提供する。【構成】伝送装置は、伝送路との間で信号を送受信する第１及び第２のインタフェース盤と、第１及び第２のインタフェース盤を制御するインタフェース制御盤と、を有する。第１及び第２のインタフェース盤の各々は、信号に対して信号処理を行う信号処理部と、信号処理部への電力の供給を制御する電力供給制御部と、信号処理部及び電力供給制御部を制御する装置内インタフェース部と、を含む。インタフェース制御盤は、一方を運用系インタフェース盤として、他方を待機系インタフェース盤として設定する設定信号を第１及び第２のインタフェース盤に供給し、待機系インタフェース盤の装置内インタフェース部は、設定信号に応答して、待機系インタフェース盤の電力供給制御部を制御して、待機系インタフェース盤の信号処理部への電力の供給を停止させる。【選択図】図１
2016208385.tif 000002
【特許請求の範囲】
【請求項１】
伝送路との間で信号を送受信する第１及び第２のインタフェース盤と、前記第１及び第２のインタフェース盤を制御するインタフェース制御盤と、を有し、
前記第１及び第２のインタフェース盤の各々は、前記信号に対して信号処理を行う信号処理部と、前記信号処理部への電力の供給を制御する電力供給制御部と、前記信号処理部及び前記電力供給制御部を制御する装置内インタフェース部と、を含み、
前記インタフェース制御盤は、前記第１及び第２のインタフェース盤のうちの一方を運用系インタフェース盤として設定するとともに他方を待機系インタフェース盤として設定する設定信号を、前記第１及び第２のインタフェース盤に供給し、
前記待機系インタフェース盤の前記装置内インタフェース部は、前記設定信号に応答して、前記待機系インタフェース盤の前記電力供給制御部を制御して、前記待機系インタフェース盤の前記信号処理部への電力の供給を停止させることを特徴とする伝送装置。
【請求項２】
前記第１及び第２のインタフェース盤の各々は、前記信号処理部と前記装置内インタフェース部とに電力を供給する電源部を含み、
前記待機系インタフェース盤の前記電力供給制御部は、前記電源部と前記信号処理部との間に接続され、前記電源部からの前記信号処理部への電力供給を停止させることを特徴とする請求項１に記載の伝送装置。
【請求項３】
前記第１及び第２のインタフェース盤の各々の前記装置内インタフェース部は、前記信号処理に関する回線の設定を行う回線設定部を有し、
前記待機系インタフェース盤の前記回線設定部は、前記運用系インタフェース盤の前記回線設定部における設定データと同一の設定データを用いて、前記待機系インタフェース盤における前記回線の設定を行うことを特徴とする請求項１又は２に記載の伝送装置。
【請求項４】
前記第１及び第２のインタフェース盤の各々の前記装置内インタフェース部は、前記第１及び第２インタフェース盤内において発生した故障を検出する監視制御部を有し、
前記インタフェース制御盤は、前記運用系インタフェース盤における前記故障の検出に応じて、運用系と待機系との切り替えを指示する切替制御信号を前記運用系インタフェース盤及び前記待機系インタフェース盤に供給し、
前記待機系インタフェース盤の前記装置内インタフェース部は、前記切替制御信号に応答して前記待機系インタフェース盤の前記電力供給制御部を制御し、前記待機系インタフェース盤の前記信号処理部への電力の供給を開始させ、
前記運用系インタフェース盤の前記装置内インタフェース部は、前記切替制御信号に応答して前記運用系インタフェース盤の前記電力供給制御部を制御し、前記運用系インタフェース盤の前記信号処理部への電力の供給を停止させることを特徴とする請求項１乃至３のいずれか１に記載の伝送装置。
【請求項５】
前記インタフェース制御盤は、運用系と待機系との切り替えを要求する切替要求を外部から受信し、前記切替要求に応じて、運用系と待機系との切り替えを指示する切替制御信号を前記運用系インタフェース盤及び前記待機系インタフェース盤に供給し、
前記待機系インタフェース盤の前記装置内インタフェース部は、前記切替制御信号に応答して、前記待機系インタフェース盤の前記電力供給制御部を制御して、前記待機系インタフェース盤の前記信号処理部への電力の供給を開始させ、
前記運用系インタフェース盤の前記装置内インタフェース部は、前記切替制御信号に応答して、前記運用系インタフェース盤の前記電力供給制御部を制御して、前記運用系インタフェース盤の前記信号処理部への電力の供給を停止させることを特徴とする請求項１乃至３のいずれか１に記載の伝送装置。
【請求項６】
各々が信号処理部を含む運用系インタフェース盤及び待機系インタフェース盤を有し、伝送路との間で信号を送受信する伝送装置における系の切り替え方法であって、
前記運用系インタフェース盤における故障を検出するステップと、
前記故障の検出に応じて、前記待機系インタフェース盤の前記信号処理部に対する電力の供給を開始するステップと、
前記運用系インタフェース盤の前記信号処理部に対する電力の供給を停止するステップと、
を含むことを特徴とする系の切り替え方法。
【請求項７】
各々が信号処理部を含む運用系インタフェース盤及び待機系インタフェース盤を有し、伝送路との間で信号を送受信する伝送装置における系の切り替え方法であって、
前記伝送装置の外部から運用系及び待機系の切り替えを要求する切替要求を受信するステップと、
前記切替要求に応じて、前記待機系インタフェース盤の前記信号処理部に対する電力の供給を開始するステップと、
前記運用系インタフェース盤の前記信号処理部に対する電力の供給を停止するステップと、
を含むことを特徴とする系の切り替え方法。
【発明の詳細な説明】
【技術分野】
【０００１】
本発明は、伝送装置及び伝送装置における系の切り替え方法に関する。
【背景技術】
【０００２】
通信ネットワークにおける信頼性を向上させるため、通信システムを冗長化することが知られている。例えば、伝送装置において、運用系のインタフェース盤の他に待機系のインタフェース盤を設け、運用系インタフェース盤の保守時や故障発生時に、運用系インタフェース盤から待機系インタフェース盤へと接続の切り替えを行う。このような切り替え処理を行うことによって、通信を途切れさせることなく、継続させることができる。
【０００３】
かかる冗長構成を有する伝送装置においては、通常、切り替え処理に備えて運用系インタフェース盤の動作時にも待機系インタフェース盤の電源をオンにしておくため、装置全体としての消費電力が大きい。そこで、伝送装置の消費電力を抑えるため、運用系インタフェース盤の動作時には待機系インタフェース盤の装置内インタフェース部の電源をオフにすることが考えられた（例えば、特許文献１）。
【先行技術文献】
【特許文献】
【０００４】
【特許文献１】特開平７−９５１３２号公報
【発明の概要】
【発明が解決しようとする課題】
【０００５】
上記のような伝送装置を用いた通信では、装置内インタフェース部において、回線番号や速度情報等の設定データを用いて信号処理の対象となる回線の設定を行う。したがって、待機系インタフェース盤の装置内インタフェース部の電源をオフにしていた場合、待機系から運用系への切り替え時に、装置内インタフェース部を起動してメモリから設定データを読み出し、あらためて回線の設定をする必要がある。そのため、切り替え動作の開始から通信が可能になるまでに時間がかかるという問題があった。
【０００６】
本発明は、上記問題点に鑑みてなされたものであり、消費電力を抑制しつつ運用系及び待機系のスムーズな切り替えが可能な伝送装置を提供することを目的とする。
【課題を解決するための手段】
【０００７】
本発明による伝送装置は、伝送路との間で信号を送受信する第１及び第２のインタフェース盤と、前記第１及び第２のインタフェース盤を制御するインタフェース制御盤と、を有し、前記第１及び第２のインタフェース盤の各々は、前記信号に対して信号処理を行う信号処理部と、前記信号処理部への電力の供給を制御する電力供給制御部と、前記信号処理部及び前記電力供給制御部を制御する装置内インタフェース部と、を含み、前記インタフェース制御盤は、前記第１及び第２のインタフェース盤のうちの一方を運用系インタフェース盤として設定するとともに他方を待機系インタフェース盤として設定する設定信号を、前記第１及び第２のインタフェース盤に供給し、前記待機系インタフェース盤の前記装置内インタフェース部は、前記設定信号に応答して、前記待機系インタフェース盤の前記電力供給制御部を制御して、前記待機系インタフェース盤の前記信号処理部への電力の供給を停止させることを特徴とする。
【０００８】
また、本発明による系の切り替え方法は、各々が信号処理部を含む運用系インタフェース盤及び待機系インタフェース盤を有し、伝送路との間で信号を送受信する伝送装置における系の切り替え方法であって、前記運用系インタフェース盤における故障を検出するステップと、前記故障の検出に応じて、前記待機系インタフェース盤の前記信号処理部に対する電力の供給を開始するステップと、前記運用系インタフェース盤の前記信号処理部に対する電力の供給を停止するステップと、を含むことを特徴とする。
【０００９】
また、本発明による系の切り替え方法は、各々が信号処理部を含む運用系インタフェース盤及び待機系インタフェース盤を有し、伝送路との間で信号を送受信する伝送装置における系の切り替え方法であって、前記伝送装置の外部から運用系及び待機系の切り替えを要求する切替要求を受信するステップと、前記切替要求に応じて、前記待機系インタフェース盤の前記信号処理部に対する電力の供給を開始するステップと、前記運用系インタフェース盤の前記信号処理部に対する電力の供給を停止するステップと、を含むことを特徴とする。
【発明の効果】
【００１０】
本発明によれば、消費電力を抑制しつつ運用系及び待機系のスムーズな切り替えを行うことが可能となる。
【図面の簡単な説明】
【００１１】
【図１】本発明の伝送装置の構成を示すブロック図である。
【図２】本発明の伝送装置における故障検出から運用系／待機系の切り替えに至る流れを示すフローチャートである。
【図３】故障検出時における運用系／待機系の切り替え処理のルーチンを示すシーケンス図である。
【図４】信号処理部の電源をオンする処理のルーチンを示すシーケンス図である。
【図５】信号処理部の電源をオフする処理のルーチンを示すシーケンス図である。
【図６】切り替え要求受付時における運用系／待機系の切り替え処理のルーチンを示すシーケンス図である。
【発明を実施するための形態】
【００１２】
以下、本発明の実施例を図面を参照しつつ詳細に説明する。
【００１３】
図１は、本発明における伝送装置１００の構成を示す図である。伝送装置１００は、第１インタフェース盤１０と、第２インタフェース盤２０と、インタフェース制御盤３０と、内部回路４０と、を含む。
【００１４】
第１インタフェース盤１０及び第２インタフェース盤２０は、一方が運用系のインタフェース盤、他方が待機系のインタフェース盤として設定される。伝送装置１００は、運用系のインタフェース盤において故障が検出された場合や、装置の保守等のため装置外部の管理者等から切替要求があった場合に、第１インタフェース盤１０及び第２インタフェース盤２０における運用系及び待機系の設定を切り替える処理（以下、運用系／待機系の切り替えと称する）を行う。
【００１５】
運用系のインタフェース盤として設定された場合、第１インタフェース盤１０は伝送路Ｌ１と内部回路４０との間で信号の送受信を行う。同様に、運用系のインタフェース盤として設定された場合、第２インタフェース盤２０は、伝送路Ｌ２と内部回路４０との間で信号の送受信を行う。
【００１６】
第１インタフェース盤１０は、装置内ＩＦ部１１、信号処理部１５、電源部１６及び電源制御部１７を含む。装置内ＩＦ部１１は、監視制御部１２及び回線設定部１４を含む。監視制御部１２は、メモリ１３を含む。
【００１７】
監視制御部１２は、伝送装置１００の電源投入に応じて、メモリ１３から回線設定データＬＳ１を読出し、これを回線設定部１４に供給する。また、監視制御部１２は、インタフェース制御盤３０からの第１制御信号ＣＳ１に応じて、信号処理部１５への信号処理電力ＰＳ１の供給を制御させるための電源制御信号ＰＣ１を、電源制御部１７に供給する。さらに、監視制御部１２は、第１インタフェース盤１０における故障の発生を検出し、故障発生通知ＡＬ１をインタフェース制御盤３０に供給する。また、監視制御部１２は、第１インタフェース盤１０における信号処理部１５の電源のオンオフの切り替えが完了したことを示す切替完了通知ＳＣ１をインタフェース制御盤３０に供給する。
【００１８】
メモリ１３は、伝送装置１００を介して通信を行う複数の回線についての回線設定データＬＳ１を記憶する。回線設定データＬＳ１は、例えば第１インタフェース盤１０の登録状態等のインタフェース盤情報、回線群（パス）のサービス種別等の回線群情報、回線番号や通信速度等の回線情報を含む。
【００１９】
回線設定部１４は、監視制御部１２から供給された回線設定データＬＳ１に基づいて、回線の設定を行う。具体的には、回線設定部１４は、伝送装置１００の電源投入後、インタフェース盤情報、回線群情報、回線情報の順に上位層から下位層へと回線の設定を行う。回線データ設定部１４は、第１インタフェース盤１０が運用系であるか待機系であるかに拘わらず、回線の設定を行う。
【００２０】
信号処理部１５は、伝送装置１００の外部からの外部入力信号ＯＬｉｎに対してフレーム同期検出、誤り検出、オーバーヘッドの付加等の信号処理を施し、これを装置内出力信号ＤＬｏｕｔとして内部回路４０に供給する。また、信号処理部１５は、内部回路４０からの装置内入力信号ＤＬｉｎに対して同様の信号処理を施し、外部出力信号ＯＬｏｕｔとして出力する。
【００２１】
信号処理部１５は、電源部１６から電源制御部１７を介して供給される信号処理電力ＰＳ１に基づいて信号処理を行う。したがって、信号処理部１５は、信号処理電力ＰＳ１が供給されている間は電源がオン、信号処理電力ＰＳ１の供給が停止されている間は電源がオフの状態となる。また、信号処理部１５は、運用系／待機系の切り替え処理において電源のオンオフが切り替わった際、オンオフ完了通知ＯＣ１を電源制御部１７に供給する。
【００２２】
電源部１６は、装置内ＩＦ部１１に電力ＰＷ１を供給する。また、電源部１６は、電源制御部１７を介して信号処理部１５に信号処理電力ＰＳ１を供給する。なお、第１インタフェース盤１０が待機系のインタフェース盤として設定された場合、後述する電源制御部１７の動作により信号処理部１５に対する信号処理電力ＰＳ１の供給が停止される一方、装置内ＩＦ部１１に対する電力ＰＷ１の供給は、運用系か待機系かに拘わらず常に行われる。
【００２３】
電源制御部１７は、監視制御部１２からの電源制御信号ＰＣ１に応じて、信号処理部１５への信号処理電力ＰＳ１の供給を制御する。具体的には、電源制御信号ＰＣ１が信号処理部１５への電力供給の停止を要求するものである場合、これに応じて信号処理部１５への信号処理電力ＰＳ１の供給を停止する。一方、電源制御信号ＰＣ１が信号処理部１５への電力の供給を要求するものである場合、これに応じて信号処理部１５への信号処理電力ＰＳ１の供給を開始する。すなわち、電源制御部１７は、信号処理部１５への電力供給を制御する電力供給制御部である。また、電源制御部１７は、信号処理部１５からオンオフ完了通知ＯＣ１を受けると、信号処理部１５における電源のオンオフが完了したことを示すオンオフ切替完了通知ＯＳ１を監視制御部１２に供給する。
【００２４】
第２インタフェース盤２０は、装置内ＩＦ部２１、信号処理部２５、電源部２６及び電源制御部２７を含む。装置内ＩＦ部２１は、監視制御部２２及び回線設定部２４を含む。監視制御部２２はメモリ２３を含む。
【００２５】
メモリ２３は、複数の回線についての回線設定データＬＳ２を記憶する。この回線設定データＬＳ２は、第１インタフェース盤１０のメモリ１３に記憶される回線設定データＬＳ１と同一である。
【００２６】
監視制御部２２は、伝送装置１００の電源投入に応じて、メモリ２３から回線設定データＬＳ２を読出し、これを回線設定部２４に供給する。この回線設定部２４に供給される回線データＬＳ２は、第１インタフェース部１０において回線設定部１４に供給される回線データＬＳ１と同一である。
【００２７】
回線設定部２４は、伝送装置１００の電源投入後、監視制御部２２から供給された回線設定データＬＳ２に基づいて、回線の設定を行う。回線データ設定部１４は、第１インタフェース盤１０が運用系であるか待機系であるかに拘わらず、回線の設定を行う。すなわち、回線設定部１４及び回線設定部２４は、伝送装置１００の電源投入後、第１インタフェース盤１０と第２インタフェース盤２０のどちらが運用系でどちらが待機系であるかに拘わらず、同一の回線データ（ＬＳ１及びＬＳ２）に基づいて、回線の設定を行う。
【００２８】
監視制御部２２が行うその他の処理や、信号処理部２５、電源部２６及び電源制御部２７の構成及び機能は、インタフェース盤１０の監視制御部１２、信号処理部１５、電源部１６及び電源制御部１７のものと夫々同様であるため、説明を省略する。
【００２９】
インタフェース制御盤３０は、制御部３１を備える。制御部３１は、運用系／待機系の切り替えを第１インタフェース盤１０に要求する第１制御信号ＣＳ１を、第１インタフェース盤１０の装置内ＩＦ部１１に供給する。また、制御部３１は、運用系／待機系の切り替えを第２インタフェース盤２０に要求する第２制御信号ＣＳ２を、第２インタフェース盤２０の装置内ＩＦ部２１に供給する。すなわち、第１制御信号ＣＳ１及び第２制御信号ＣＳ２は、第１インタフェース盤１０及び第２インタフェース盤２０の一方を運用系インタフェース盤に設定し、他方を待機系インタフェース盤に設定するための設定信号である。
【００３０】
インタフェース制御盤３０は、第１インタフェース盤１０又は第２インタフェース盤２０において故障が検出された場合、又は外部からの切り替え要求があった場合に、運用系／待機系の切り替えを行うための第１制御信号ＣＳ１及び第２制御信号ＣＳ２を第１インタフェース盤１０及び第２インタフェース盤２０に供給する。
【００３１】
内部回路４０は、第１インタフェース盤１０又は第２インタフェース盤２０を介して、伝送路Ｌ１又はＬ２と信号の送受信を行う。内部回路４０は、第１インタフェース盤１０又は第２インタフェース盤２０に装置内入力信号ＤＬｉｎを供給する。また、内部回路４０は、第１インタフェース盤１０又は第２インタフェース盤２０からの装置内出力信号ＤＬｏｕｔの入力を受ける。
【００３２】
図２は、故障検出から運用系／待機系の切り替え処理に至る流れを示すフローチャートである。以下では、第１インタフェース盤１０が運用系、第２インタフェース盤２０が待機系である状態を例として処理を説明する。したがって、運用系である第１インタフェース盤１０の信号処理部１５には信号処理電力ＰＳ１が供給されており、信号処理部１５の電源はオンの状態にある。これに対し、待機系である第２インタフェース盤２０の信号処理部２５に対する信号処理電力ＰＳ２の供給は停止されており、信号処理部２５の電源はオフの状態にある。また、上記のように回線データ設定部１４及び２４は、運用系であるか待機系であるかに拘わらず伝送装置１００の電源投入に応じて回線の設定を行うため、回線設定１４及び２４による回線設定は既に実行されている。
【００３３】
第１インタフェース盤１０の監視制御部１２は、第１インタフェース盤１０における故障の有無を判定する（ステップＳ１１）。第１インタフェース盤１０に故障がないと判定すると、伝送装置１００は運用系／待機系の切り替えを行わず、そのままの状態を維持する。
【００３４】
一方、監視制御部１２が第１インタフェース盤１０の故障を検出すると、伝送装置１００は、運用系／待機系の切り替え処理を行い、第２インタフェース盤２０の信号処理部２５の電源をオンに切り替える（ステップＳ１２）。また、第１インタフェース盤１０の信号処理部１５の電源をオフに切り替える（ステップＳ１３）。
【００３５】
図３は、図２のステップＳ１１において第１インタフェース盤１０に故障があると判定された場合の運用系／待機系の切り替え処理（ステップＳ１２及びＳ１３）のルーチンを示すシーケンス図である。
【００３６】
第１インタフェース盤１０の装置内ＩＦ部１１の監視制御部１２は、第１インタフェース盤１０における故障の発生を検出すると（ステップＳ２１）、故障発生通知ＡＬ１をインタフェース制御盤３０に供給する（ステップＳ２２）。
【００３７】
インタフェース制御盤３０の制御部３１は、第１インタフェース盤１０の監視制御部１２からの故障発生通知ＡＬ１を受け、信号処理部２５の電源オンを要求する第２制御信号ＣＳ２を第２インタフェース盤２０の装置内ＩＦ部２１の監視制御部２２に供給する（ステップＳ２３）。
【００３８】
第２インタフェース盤２０は、第２制御信号ＣＳ２の受信に応じて、信号処理部２５の電源をオンにする処理を実行する（ステップＳ２４）。
【００３９】
図４は、図３におけるステップＳ２４の処理、すなわち信号処理部２５の電源をオンにする処理のルーチンを示すシーケンス図である。
【００４０】
監視制御部２２は、信号処理部２５の電源をオンにするよう指示する電源制御信号ＰＣ２を電源制御部２７に供給する（ステップＳ３１）。電源制御部２７は、これに応じて、電力供給の停止を解除し、信号処理部２５への信号処理電力ＰＳ２の供給を開始する（ステップＳ３２）。
【００４１】
信号処理部２５は、信号処理電力ＰＳ２の供給を受け、信号の入出力を行う（ステップＳ３３）。また、信号処理部２５は、電源オンが完了したことを示すオンオフ完了通知ＯＣ２を電源制御部２７に供給する（ステップＳ３４）。電源制御部２７は、これに応じて、信号処理部２５の電源オンが完了したことを示すオンオフ切替完了通知ＯＳ２を監視制御部２２に供給する（ステップＳ３５）。
【００４２】
図３における信号処理部２５の電源をオンにする処理（ステップＳ２４）の実行後、第２インタフェース盤の監視制御部２２は、第２インタフェース盤２０の信号処理部２５における電源オンの切り替えが完了したことを示す切替完了通知ＳＣ２をインタフェース制御盤３０に供給する（ステップＳ２５）。
【００４３】
インタフェース制御盤３０の制御部３１は、切替完了通知ＳＣ２を受け、信号処理部１５の電源オフを要求する第１制御信号ＣＳ１を第１インタフェース盤１０の装置内ＩＦ部１１の監視制御部１２に供給する（ステップＳ２６）。
【００４４】
第１インタフェース盤１０は、第１制御信号ＣＳ１の受信に応じて、信号処理部１５の電源をオフにする処理を実行する（ステップＳ２７）。
【００４５】
図５は、かかる信号処理部１５の電源をオフにする処理のルーチンを示すシーケンス図である。
【００４６】
監視制御部１２は、信号処理部１５の電源をオフにするよう指示する電源制御信号ＰＣ１を電源制御部１７に供給する（ステップＳ４１）。電源制御部１７は、これに応じて、信号処理部１５への信号処理電力ＰＳ１の供給を停止する（ステップＳ４２）。
【００４７】
信号処理部１５は、信号処理電力ＰＳ１の供給停止を受け、信号の入出力を停止する（ステップＳ４３）。また、信号処理部１５は、電源オフが完了したことを示すオンオフ完了通知ＯＣ１を電源制御部１７に供給する（ステップＳ４４）。電源制御部１７は、これに応じて、信号処理部１５の電源オフが完了したことを示すオンオフ切替完了通知ＯＳ１を監視制御部１２に供給する（ステップＳ４５）。
【００４８】
図３における信号処理部１５の電源をオフにする処理（ステップＳ２７）の実行後、第１インタフェース盤１０の監視制御部１２は、第１インタフェース盤１０の信号処理部１５における電源オフの切り替えが完了したことを示す切替完了通知ＳＣ１をインタフェース制御盤３０に供給する（ステップＳ２８）。
【００４９】
以上のルーチンにより、伝送装置１００は、故障検出時における運用系／待機系の切り替えを行う。上記の通り、第１インタフェース盤１０の回線設定部１４及び第２インタフェース盤２０の回線設定部２４は、ともに回線データＬＳ１及びＬＳ２を用いた回線の設定を既に実行済みであるため、系の切り替えを行う際、あらためて回線の設定をし直す必要がない。したがって、信号処理部１５及び２５の電源のオンオフを切り替えることによって、即座に運用系／待機系の切り替えを行うことができる。
【００５０】
また、伝送装置１００は、故障検出時のほか、装置外部からの切替要求に応じて運用系／待機系の切り替えを行う。図６は、伝送装置１００が外部からの切り替え要求に応じて行う運用系／待機系の切り替え処理のルーチンを示すシーケンス図である。
【００５１】
インタフェース制御盤３０の制御部３１は、外部からの切替要求を受け（ステップＳ５１）、信号処理部２５の電源オンを要求する第２制御信号ＣＳ２を第２インタフェース盤２０の装置内ＩＦ部２１の監視制御部２２に供給する（ステップＳ５２）。
【００５２】
第２インタフェース盤２０は、第２制御信号ＣＳ２の受信に応じて、信号処理部２５の電源をオンにする処理を実行する（ステップＳ５３）。
【００５３】
信号処理部２５の電源をオンにする処理は、故障検出の場合の図４に示すルーチンに従った処理と同様であるため、ここでは説明を省略する。
【００５４】
信号処理部２５の電源をオンにする処理（ステップＳ５３）の実行後、第２インタフェース盤２０の監視制御部２２は、第２インタフェース盤２０の信号処理部２５における電源オンの切り替えが完了したことを示す切替完了通知ＳＣ２をインタフェース制御盤３０に供給する（ステップＳ５４）。
【００５５】
インタフェース制御盤３０の制御部３１は、切替完了通知ＳＣ２を受け、信号処理部１５の電源オフを要求する第１制御信号ＣＳ１を第１インタフェース盤１０の装置内ＩＦ部１１の監視制御部１２に供給する（ステップＳ５５）。
【００５６】
第１インタフェース盤１０は、第１制御信号ＣＳ１の受信に応じて、信号処理部１５の電源をオフにする処理を実行する（ステップＳ５６）。
【００５７】
信号処理部１５の電源をオフにする処理は、故障検出の場合の図５に示すルーチンに従った処理と同様であるため、ここでは説明を省略する。
【００５８】
信号処理部１５の電源をオフにする処理（ステップＳ５６）の実行後、第１インタフェース盤１０の監視制御部１２は、第１インタフェース盤１０の信号処理部１５における電源オフの切り替えが完了したことを示す切替完了通知ＳＣ１をインタフェース制御盤３０に供給する（ステップＳ５７）。
【００５９】
以上のルーチンにより、伝送装置１００は、外部からの切替要求受付時に運用系／待機系の切り替えを行う。
【００６０】
本発明においては、第１インタフェース盤１０の回線設定部１４及び第２インタフェース盤２０の回線設定部２４は、第１インタフェース盤１０と第２インタフェース盤２０のどちらが運用系でどちらが待機系であるかに拘わらず、伝送装置１００の電源投入後、同一の回線設定データ（ＬＳ１及びＬＳ２）を用いて回線の設定を行う。そして、装置内ＩＦ部１１及び２１には電力ＰＷ１及びＰＷ２が常時供給されているため、回線設定部１４及び２４は、自己の属するインタフェース盤が待機系である場合にも、電源がオフとなることなく、回線設定データＬＳ１及びＬＳ２を保持し続ける。
【００６１】
したがって、待機系から運用系への切り替えを行う際、監視制御部があらためてメモリから回線設定データを読み出す処理や、読み出した回線設定データに基づいて回線設定部があらためて回線の設定を行う処理等を行う必要がない。そのため、即座に運用系／待機系の切り替えを行うことが可能となる。
【００６２】
なお、本発明の実施形態は、上記実施例に記載したものに限られない。例えば、上記実施例では、伝送装置が電源部を有し、この電源部が電源制御部を介して信号処理部に電力を供給する一方、装置内ＩＦ部にも電源を供給する構成について説明した。しかし、信号処理部に対する電力を供給する電源部の他に装置内ＩＦ部に対して電力を供給する電源部を別個に設ける構成であっても良い。また、伝送装置内部に電源部を設けるのではなく、伝送装置の外部からの信号処理部への電力供給に対し、電源制御部が制御を行う構成であっても良い。要するに、装置内ＩＦ部には運用系か待機系かに拘わらず電力が供給され、待機系の信号処理部に対する電力供給のみが停止される構成であればよい。
【００６３】
また、上記実施例では、装置内ＩＦ部が監視制御部と回線設定部とを設ける構成について説明した。しかし、監視制御部が回線設定部を兼ねる構成であっても良い。要するに、運用系か待機系かに拘わらず、信号処理部から独立して回線の設定を行う構成であれば良い。
【００６４】
また、上記実施例では、伝送装置が内部回路を有し、第１又は第２のインタフェース盤が内部回路と伝送路との間の信号の送受信を行う構成について説明した。しかし、これに限られず、第１又は第２のインタフェース盤は、内部回路ではなく伝送装置の外部の装置と伝送路との間の信号の送受信を行う構成であっても良い。
【符号の説明】
【００６５】
１０        第１インタフェース盤
１１、２１  装置内ＩＦ部
１２、２２  監視制御部
１３、２３  メモリ
１４、２４  回線設定部
１５、２５  信号処理部
１６、２６  電源部
１７、２７  電源制御部
２０        第２インタフェース盤
３０        インタフェース制御盤
３１        制御部
４０        内部回路
１００      伝送装置
【図１】
2016208385.tif 000003
【図２】
2016208385.tif 000004
【図３】
2016208385.tif 000005
【図４】
2016208385.tif 000006
【図５】
2016208385.tif 000007
【図６】
2016208385.tif 000008